(57)【要約】  ヒンジを介してその軸心周りに相対回動可能であり回動動作を通じて綴じ桿を開閉させる一組の綴じ桿部材１、２と、ヒンジの軸１３、２３を覆うとともに綴じ桿部材１、２に対し軸心方向に沿ってスライド可能であり、綴じ桿部材１、２が綴じ桿を開放する方向に回動することを禁止するストッパを有し、当該ストッパが綴じ桿部材１、２の所定部位１４、２４に接触するロック位置と、綴じ桿部材１、２を回動させても当該ストッパが前記所定部位１４、２４に接触しないアンロック位置とを選択的にとり得る操作部材３とを具備する綴じ具０を構成した。これにより、ヒンジの軸１３、２３が凸凹した感触をユーザに与えることがなくなる。
2012066818.tif 000002
【特許請求の範囲】
【請求項１】
ヒンジを介してその軸心周りに相対回動可能であり、回動動作を通じて綴じ桿を開閉させる一組の綴じ桿部材と、
前記ヒンジの軸を覆うとともに前記綴じ桿部材に対し前記軸心方向に沿ってスライド可能であり、綴じ桿部材が前記綴じ桿を開放する方向に回動することを禁止するストッパを有し、当該ストッパが綴じ桿部材の所定部位に接触するロック位置と、綴じ桿部材を回動させても当該ストッパが綴じ桿部材の所定部位に接触しないアンロック位置とを選択的にとり得る操作部材と
を具備する綴じ具。
【請求項２】
前記ヒンジの軸が略円筒状の外周をなし、前記操作部材がこのヒンジの軸をくわえ込むようにヒンジの軸に係合する請求項１記載の綴じ具。
【請求項３】
前記一組の綴じ桿部材の各々に略円筒状の外周をなし前記ヒンジの軸となる軸体を設け、両者の軸体を直列に配置した状態で前記操作部材がこれらを相対回動可能に保持する請求項２記載の綴じ具。
【請求項４】
前記両軸体の互いに対向する端面の一方に凸部を形成し、他方にこの凸部を受け入れる凹部を形成して、これら凸部と凹部との係合構造を構成している請求項３記載の綴じ具。
【請求項５】
前記操作部材は、並立する側壁と両側壁を連結する底壁とを備え、側壁及び底壁によって包囲される内部空間に前記ヒンジの軸を収容するものであり、
前記側壁の端縁に切欠を形成し、切欠に隣接する部位を前記ストッパとして、前記操作部材が前記アンロック位置にあるときには前記綴じ桿部材の所定部位がこの切欠内に収まる請求項１、２、３または４記載の綴じ具。
【請求項６】
前記操作部材を前記アンロック位置から前記ロック位置に向けて変位させる方向に弾性付勢する弾性付勢部材を具備する請求項１、２、３または４記載の綴じ具。
【発明の詳細な説明】
【技術分野】
【０００１】
本発明は、紙葉類を綴じ止めるための綴じ具に関する。
【背景技術】
【０００２】
ルーズリーフやクリアブックのリフィル等の紙葉類を綴じ止めることができるリング綴じ具（例えば、下記特許文献を参照）が既知である。この種の綴じ具は、環状をなす綴じ桿が回動動作によって開閉可能となっており、任意に紙葉類を差し替えることができる。【０００３】
多くのリング綴じ具は、軸心方向に長尺な一組の綴じ桿部材をヒンジを介して連結し相対回動可能とした構造を有する。各綴じ桿部材は、部分円弧状をなす多数本の綴じ桿要素を支持している。そして、一方の綴じ桿部材に円筒状の軸受を軸心方向に沿って間欠的に設け、他方の綴じ桿にもやはり円筒状の軸受を軸心方向に沿って間欠的に設けて、両綴じ桿部材の軸受を（一方の軸受を他方の軸受間に位置づけて）同心軸上に配列した上、各軸受を貫く細棒を挿通してヒンジを構成している。【０００４】
このようなものであると、綴じ桿部材の軸受の列が凸凹した感触をユーザに与えることになる。特に、中紙を綴じてリングノートとして使用する場合に、ノートの背側に軸受が露出し、その手触りが必ずしもよくない。
【先行技術文献】
【特許文献】
【０００５】
【特許文献１】特開２０１０−１２０３６７号公報
【発明の概要】
【発明が解決しようとする課題】
【０００６】
本発明は、綴じ桿の開放状態と閉止状態との切り替えが容易で手触りもよい綴じ具を提供しようとするものである。
【課題を解決するための手段】
【０００７】
本発明では、ヒンジを介してその軸心周りに相対回動可能であり、回動動作を通じて綴じ桿を開閉させる一組の綴じ桿部材と、前記ヒンジの軸を覆うとともに前記綴じ桿部材に対し前記軸心方向に沿ってスライド可能であり、綴じ桿部材が前記綴じ桿を開放する方向に回動することを禁止するストッパを有し、当該ストッパが綴じ桿部材の所定部位に接触するロック位置と、綴じ桿部材を回動させても当該ストッパが綴じ桿部材の所定部位に接触しないアンロック位置とを選択的にとり得る操作部材とを具備する綴じ具を構成した。【０００８】
これにより、ヒンジの軸がユーザの手指に直接触れる機会が少なくなる。即ち、ヒンジの軸が凸凹した感触をユーザに与える可能性が小さくなる。その上で、操作部材を軸心方向にスライド操作することで、綴じ桿の開放状態と閉止状態との切り替えを行い得る。【０００９】
より具体的には、前記ヒンジの軸が略円筒状の外周をなし、前記操作部材がこのヒンジの軸をくわえ込むようにヒンジの軸に係合する構成とする。【００１０】
前記一組の綴じ桿部材の各々に略円筒状の外周をなし前記ヒンジの軸となる軸体を設け、両者の軸体を直列に配置した状態で前記操作部材がこれらを相対回動可能に保持するものとすれば、両綴じ桿部材の軸体を貫く細棒が不要となる。【００１１】
前記両軸体の互いに対向する端面の一方に凸部を形成し、他方にこの凸部を受け入れる凹部を形成して、これら凸部と凹部との係合構造を構成していれば、両綴じ桿部材の軸体の一体性が向上する。【００１２】
前記操作部材が、並立する側壁と両側壁を連結する底壁とを備え、側壁及び底壁によって包囲される内部空間に前記ヒンジの軸を収容するものであり、前記側壁の端縁に切欠を形成し、切欠に隣接する部位を前記ストッパとして、前記操作部材が前記アンロック位置にあるときには前記綴じ桿部材の所定部位がこの切欠内に収まるようにすれば、綴じ桿部材及び操作部材によって綴じ具の基本構成が完結し、部品点数を削減することができる。【００１３】
さらに、前記操作部材を前記アンロック位置から前記ロック位置に向けて変位させる方向に弾性付勢する弾性付勢部材を具備していれば、その弾性付勢力をも利用して綴じ桿の閉止状態を確実に保つことができ、綴じている紙葉類が不意に脱落するおそれが低減する。
【発明の効果】
【００１４】
本発明によれば、綴じ桿の開放状態と閉止状態との切り替えが容易で手触りもよい好適な綴じ具を実現することができる。
【図面の簡単な説明】
【００１５】
【図１】本発明の一実施形態における綴じ具を使用したリングノートを示す斜視図。
【図２】同実施形態の綴じ具の全体斜視図。
【図３】同実施形態の綴じ具の綴じ桿部材を示す斜視図。
【図４】同実施形態の綴じ具の操作部材を示す斜視図。
【図５】同実施形態の綴じ具の要部分解斜視図。
【図６】同実施形態の綴じ具の要部斜視図。
【図７】同実施形態の綴じ具の要部斜視図。
【図８】同実施形態の綴じ具における腕部（突出部）及び切欠の形状を示す図。
【図９】同実施形態の綴じ具の縦断面図。
【図１０】同実施形態の綴じ具の要部平面図。
【図１１】同実施形態の綴じ具の要部平面図。
【図１２】同実施形態の綴じ具のＡ−Ａ線横断面図。
【図１３】同実施形態の綴じ具のＢ−Ｂ線横断面図。
【図１４】同実施形態の綴じ具のＣ−Ｃ線横断面図。
【図１５】同実施形態の綴じ具のＤ−Ｄ線横断面図。
【図１６】同実施形態の綴じ具のＡ−Ａ線横断面図。
【図１７】同実施形態の綴じ具のＢ−Ｂ線横断面図。
【図１８】同実施形態の綴じ具のＣ−Ｃ線横断面図。
【図１９】同実施形態の綴じ具のＤ−Ｄ線横断面図。
【図２０】本発明の一実施形態における綴じ具の全体斜視図。
【図２１】同実施形態の綴じ具の綴じ桿部材を示す斜視図。
【図２２】同実施形態の綴じ具の操作部材を示す斜視図。
【図２３】同実施形態の綴じ具の要部分解斜視図。
【図２４】同実施形態の綴じ具の要部斜視図。
【図２５】同実施形態の綴じ具の要部斜視図。
【図２６】同実施形態の綴じ具における腕部（突出部）及び切欠の形状を示す図。
【図２７】同実施形態の綴じ具の縦断面図。
【図２８】同実施形態の綴じ具の要部平面図。
【図２９】同実施形態の綴じ具の要部平面図。
【図３０】同実施形態の綴じ具のＡ−Ａ線横断面図。
【図３１】同実施形態の綴じ具のＢ−Ｂ線横断面図。
【図３２】同実施形態の綴じ具のＣ−Ｃ線横断面図。
【図３３】同実施形態の綴じ具のＤ−Ｄ線横断面図。
【図３４】同実施形態の綴じ具のＡ−Ａ線横断面図。
【図３５】同実施形態の綴じ具のＢ−Ｂ線横断面図。
【図３６】同実施形態の綴じ具のＣ−Ｃ線横断面図。
【図３７】同実施形態の綴じ具のＤ−Ｄ線横断面図。
【図３８】同実施形態の綴じ具の操作部材の端部を示す要部斜視図。
【図３９】同実施形態の綴じ具の綴じ桿部材の端部を示す要部斜視図。
【図４０】同実施形態の綴じ具の端部を示す要部平断面図。
【図４１】同実施形態の綴じ具の端部を示す要部平断面図。
【発明を実施するための形態】
【００１６】
＜第一実施形態＞本発明の実施の形態を、図面を参照して説明する。図１ないし図１９に示す本実施形態の綴じ具０は、開閉可能な複数本の綴じ桿を備えたリング綴じ具である。綴じ桿は、予め紙葉類Ｓに穿たれている綴じ孔に挿通されて、紙葉類Ｓを綴じ止める。
【００１７】
特に、図１に示しているように、ノートの中紙となる複数枚のリーフやクリアブックのリフィル（さらには、表表紙や裏表紙）等Ｓを綴じることで、リングノートとしての用途に供することができる。このリングノートは、ページを１８０°の角度に開いた見開き状態とすることが可能である。
【００１８】
本実施形態の綴じ具０は、互いに相対的に回動する第一の綴じ桿部材１及び第二の綴じ桿部材２と、両綴じ桿部材１、２が支持する綴じ桿の開放状態／閉止状態を切り替えるために操作される操作部材３と、操作部材３を弾性付勢する弾性付勢部材たるコイルばね４とを構成部材とする。
【００１９】
第一の綴じ桿部材１の形状と第二の綴じ桿部材２の形状とは相似している。第一の綴じ桿部材１は、軸心方向に対して平行に長尺な棒状の基体１１と、基体１１から伸び出した綴じ桿要素１２と、基体１１から離間し当該綴じ桿部材１の回転中心となる軸体１３と、この軸体１３を基体１１に連接する腕部１４とを備える。本実施形態では、これら基体１１、綴じ桿要素１２、軸体１３及び腕部１４を樹脂一体成形している。
【００２０】
綴じ桿要素１２は多数本存在し、それらが軸心方向に沿って立ち並んでいる。個々の綴じ桿要素１２は、基体１１の外側面１１２から軸心方向に対して垂直な外側方に一旦直進して突き出し、その外方端から円弧を描くように湾曲して立ち上がっている。綴じ桿要素１２の直進部分の上面は、基体１１の頂面１１３と略面一である。綴じ桿要素１２の湾曲部分の断面は、軸心方向に少しく拡張した扁平な形状、略長円状または略角丸四角状をなす。綴じ桿要素１２の先端部は、合决りの如く切り欠いてある。
【００２１】
軸体１３は、円筒状の外周をなし、軸心方向に沿って伸長している。軸体１３は複数（図示例では、綴じ桿要素１２の本数の約半数）存在し、それらが同心軸上に所定の間隙を隔てて並んでいる。軸体１３は、その軸心が基体１１の内側面１１１と略同一平面上にあるように、基体１１からやや内側方に偏倚している。
【００２２】
軸体１３の一端面には凹部１３１を、他端面には凸部１３２を、それぞれ形成している。凸部１３２は、軸体１３の軸心に重なる半球状の突起である。凹部１３１は、軸体１３の軸心位置から外側方に延びて軸体１３の外周にまで達した、即ち外側方に開口した凹溝であって、その内面は縦断面視（若しくは、外側面視）凸部１３２、２３２の径と同等の径の半円筒状をなしており、その溝幅も凸部１３２、２３２の径に略等しい。さらには、凹部１３１の内方端縁もまた、横断面視（若しくは、軸心方向から見て）凸部１３２、２３２の径と同等の径の半円弧状となっている。
【００２３】
腕部１４は、一つの軸体１３について二つ存在し、軸体１３の軸心方向に沿った両端部をそれぞれ基体１１に接合している。腕部１４における、基体１１の内側面１１１に連なる内方の側面１４１は、基体１１の内側面１１１に対して傾斜している。他方、腕部１４における、基体１１の外側面１１２に連なる外方の側面１４２は、基体１１の外側面１１２と略面一であるとともに、基体１１の底面１１４よりも若干突出するところまで垂下している。この腕部１４の外方の突出部１４３は、図５等に示しているように、軸心方向に沿った両端縁が外側面視Ｒをとったような曲面状となっている。
【００２４】
基体１１は、ちょうど角棒の内側面１１１と底面１１４とに跨るように、軸体１３の外周面に対向する部分円筒状の凹曲面１１５を成形した横断面形状を有している。この凹曲面１１５により、基体１１と軸体１３との狭間にある、腕部１４の対に挟まれた領域には、横断面視軸心回りの円環をなすようなスリット状の空隙１５が形成される。加えて、基体１１における、複数の軸体１３の間隙に臨む部位では、内側面１１１と凹曲面１１５とが交わる隅角を面取りしている。基体１１の外側面１１２と頂面１１３との隅角は、Ｒをとってある。
【００２５】
基体１１の内側面１１１と一端側の端面との隅角は、軸心方向に対し交差する傾斜面１１６となるように切り落とした形状としている。
【００２６】
第二の綴じ桿部材２は、第一の綴じ桿部材１側の基体１１と同等に長尺な棒状の基体２１と、基体２１から伸び出した綴じ桿要素２２と、基体２１から離間し当該綴じ桿部材２の回転中心となる軸体２３と、この軸体２３を基体２１に連接する腕部２４とを備える。そして、やはりこれら基体２１、綴じ桿要素２２、軸体２３及び腕部２４を樹脂一体成形している。
【００２７】
綴じ桿要素２２は、第一の綴じ桿部材１側の綴じ桿要素１２と対をなして環状の綴じ桿を構成する。各綴じ桿要素２２は、基体２１の外側面２１２から軸心方向に対して垂直な外側方に一旦直進して突き出し、その外方端から円弧を描くように湾曲して立ち上がっている。綴じ桿要素２２の直進部分の上面は、基体２１の頂面２１３と略面一である。綴じ桿要素２２の湾曲部分の断面は、軸心方向に少しく拡張した扁平な形状、略長円状または略角丸四角状をなす。綴じ桿要素２２の先端部は、合决りの如く切り欠いてある。
【００２８】
軸体２３は、第一の綴じ桿部材１側の軸体１３と略同径の円筒状の外周をなし、軸心方向に沿って伸長している。軸体２３は複数存在し、それらが同心軸上に所定の間隙を隔てて並んでいる。これら軸体２３は、第一の綴じ桿部材１側の複数の軸体１３の間隙に収まるように配設してある。第二の綴じ桿部材２側の軸体２３の軸心方向寸法は第一の綴じ桿部材１側の軸体１３の間隙のそれに略等しく、第一の綴じ桿部材１側の軸体１３の軸心方向寸法は第二の綴じ桿部材２側の軸体２３の間隙のそれに略等しい。軸体２３は、その軸心が基体２１の内側面２１１と略同一平面上にあるように、基体２１からやや内側方に偏倚している。
【００２９】
軸体２３の一端面には凹部２３１を、他端面には凸部２３２を、それぞれ形成している。凹部２３１は、第一の綴じ桿部材１側の軸体１３の凸部１３２を収容する。逆に、凸部２３２は、第一の綴じ桿部材１側の軸体１３の凹部１３１に挿入する。凸部２３２は、軸体２３の軸心に重なる半球状の突起である。凹部２３１は、軸体２３の軸心位置から外側方に延びて軸体２３の外周にまで達した凹溝であって、その内面は縦断面視凸部１３２、２３２の径と同等の径の半円筒状をなしており、その溝幅も凸部１３２、２３２の径に略等しい。さらに、凹部２３１の内方端縁もまた、横断面視凸部１３２、２３２の径と同等の径の半円弧状となっている。
【００３０】
腕部２４は、軸体２３の軸心方向に沿った両端部をそれぞれ基体２１に接合している。腕部２４における、基体２１の内側面２１１に連なる内方の側面２４１は、基体２１の内側面２１１に対して傾斜している。他方、腕部２４における、基体２１の外側面２１２に連なる外方の側面２４２は、基体２１の外側面２１２と略面一であるとともに、基体２１の底面２１４よりも若干突出するところまで垂下している。この腕部２４の外方の突出部２４３は、図８等に示しているように、軸心方向に沿った両端縁が外側面視Ｒをとったような曲面状となっている。
【００３１】
基体２１は、ちょうど角棒の内側面２１１と底面２１４とに跨るように、軸体２３の外周面に対向する部分円筒状の凹曲面２１５を成形した横断面形状を有している。この凹曲面２１５により、基体２１と軸体２３との狭間にある、腕部２４の対に挟まれた領域には、横断面視軸心回りの円環をなすようなスリット状の空隙２５が形成される。加えて、基体２１における、複数の軸体２３の間隙に臨む部位では、内側面２１１と凹曲面２１５とが交わる隅角を面取りしている。基体２１の外側面２１２と頂面２１３との隅角は、Ｒをとってある。
【００３２】
基体２１の内側面２１１と一端側の端面との隅角は、軸心方向に対し交差する傾斜面２１６となるように切り落とした形状としている。
【００３３】
また、第二の綴じ桿部材２の基体２１の他端近傍に、フック２６を設けている。フック２６は、コイルばね４の一端を支持するためのもので、基体２１の底面２１４から突出している。
【００３４】
操作部材３は、軸心方向に対して平行に延伸し並立した側壁３１、３２と、両側壁３１、３２を連結する底壁３３とを備える。本実施形態では、これら側壁３１、３２及び底壁３３を樹脂一体成形しており、側壁３１、３２と底壁３３とで略Ｃ字またはＵ字管状の周壁を形作っている。操作部材３の全長は、綴じ桿部材１、２の基体１１、２１のそれよりも大きい。
【００３５】
各側壁３１、３２の上端縁には、複数箇所に切欠３１１、３２１を形成してある。一方側の側壁３１の切欠３１１の数は第一の綴じ桿部材１の腕部１４の数と同じであり、他方側の側壁３２の切欠３２１の数は第二の綴じ桿部材２の腕部２４の数と同じである。また、一方側の側壁３１の切欠３１１の位置は第一の綴じ桿部材１の腕部１４の配置に対応しており、他方側の側壁３２の切欠３２１の位置は第二の綴じ桿部材２の腕部２４の配置に対応している。それ故、切欠３１１と切欠３２１とは、軸心方向にずれている。切欠３１１、３２１の軸心方向に沿った開口幅寸法は、腕部１４、２４の軸心方向寸法よりも多少大きい。切欠３１１、３２１の下端は、側壁３１、３２の内側面近傍を除き、外側方に向かうほど下方に落ち込む傾斜端面であり、側壁の内側面近傍においてのみ上向面となっている。
【００３６】
さらに、両側壁３１、３２における、切欠３１１、３２１の形成箇所から軸心方向に偏倚した場所に、突起３１２、３２２を設けている。突起３１２、３２２は、側壁３１、３２の内側面から内側方に対をなして突出している。
【００３７】
両側壁３１、３２の内法は、綴じ桿部材１、２の軸体１３、２３の径に略等しい。また、底壁３３は、軸体１３、２３の径に略等しい内径を有する略部分円筒となっている。因みに、底壁３３における、突起３１２、３２２の直下に穿たれている貫通孔３３１は、突起３１２、３２２を成形するための型抜き用の孔である。
【００３８】
操作部材３の周壁３１、３２、３３によって包囲された内部空間は、操作部材３の軸心方向に沿った両端部にて閉塞されている。操作部材３の一端は、ユーザがこれを把持するための把手３４となる。そして、この把手３４に隣接する位置に、拡開部３５を設けている。拡開部３５は、操作部材３の他端に向かって延びるブロック状の部位で、その先端側に平面視くさび形をなすように両外側方を向いた傾斜面３５１、３５２を形成してある。拡開部３５の傾斜面３５１、３５２は、それぞれが軸心方向に対して交差しており、両綴じ桿部材１、２の基体１１、２１の一端に形成した各傾斜面１１６、２１６に略平行である。操作部材３の拡開部３５と両綴じ桿部材１、２の基体１１、２１の一端とは、後述する操作力変換機構を構成する。
【００３９】
また、操作部材３の他端近傍に、フック３６を設けている。フック３６は、コイルばね４の他端を支持するためのもので、第二の綴じ桿部材２に設けたフック２６と軸心方向に沿って対向する。
【００４０】
本実施形態の綴じ具０を組み立てるにあたっては、まず、第一の綴じ桿部材１の基体１１の内側面１１１と第二の綴じ桿部材２の基体２１の内側面２１１とを当接ないし近接させ、第一の綴じ桿部材１の軸体１３と第二の綴じ桿部材２の軸体２３とを同心軸上に配置する。軸体１３の凸部１３２は軸体２３の凹部２３１内に挿入し、軸体２３の凸部２３２は軸体１３の凹部１３１内に挿入する。両綴じ桿部材１、２の軸体１３、２３は、互いに密接ないし近接して交互に並ぶ様相となる。
【００４１】
そして、両綴じ桿部材１、２の軸体１３、２３をくわえ込むように操作部材３を組み付ける。即ち、操作部材３の側壁３１、３２及び底壁３３に包囲された内部空間に、両綴じ桿部材１、２の軸体１３、２３を嵌め入れる。これにより、各綴じ桿部材１、２が、軸体１３、２３を回転軸として回動することが可能となる。なおかつ、操作部材３が、軸体１３、２３に沿って軸心方向にスライド移動することが可能となる。操作部材３の側壁３１、３２の内面の突起３１２、３２２は、綴じ桿部材１、２の軸体１３、２３に係合し、軸体１３、２３が操作部材３から脱出することを抑止する。綴じ桿部材１、２の軸体１３、２３は、操作部材３によって被覆される。
【００４２】
なお、予め、第二の綴じ桿部材２に設けたフック２６と操作部材３に設けたフック３６とに、コイルばね４の両端をそれぞれ掛け止めておく。綴じ桿部材１、２の軸体１３、２３を操作部材３に嵌め入れることで、操作部材３に設けたフック３６は、第二の綴じ桿部材２に設けたフック２６よりもさらに他端側に位置づけられる。
【００４３】
第一の綴じ桿部材１と第二の綴じ桿部材２とは、軸体１３、２３の軸心周りに相対的に回動する。その回動動作を通じて、綴じ桿要素１２と綴じ桿要素２２とで構成する環状の綴じ桿を開閉することができる。図６、図１０等に示すように、綴じ桿を閉じた状態では、一方側の綴じ桿要素１２の先端部と他方側の綴じ桿要素２２の先端部とが合决り構造の如く軸心方向に重なり合い、綴じ桿に綴じ止めている紙葉類Ｓの抜出を阻止する。図７、図１１等に示すように、綴じ桿を開いた状態では、両綴じ桿要素１２、２２の先端部同士が離反して、紙葉類Ｓの抜出を許容する。
【００４４】
操作部材３は、綴じ桿部材１、２に対して軸心方向に相対変位し、図１０に示すロック位置と、図１１に示すアンロック位置とを選択的にとり得る。操作部材３がロック位置にあるとき、一方側の側壁３１に形成している切欠３１１は同じ側の綴じ桿部材１の腕部１４に対して軸心方向にずれており、他方側の側壁３２に形成している切欠３２１も同じ側の綴じ桿部材２の腕部２４に対して軸心方向にずれている。そのため、図１２ないし図１５に示しているように、両綴じ桿部材１、２を綴じ桿を開放する方向に回動させようとしても、腕部１４、２４が操作部材３の側壁３１、３２の端縁に衝突してしまい、回動させることができない。換言すれば、操作部材３の側壁３１、３２における切り欠かれていない端縁がストッパとなって、綴じ桿を開放することを禁止する。
【００４５】
また、このとき、第一の綴じ桿部材１の基体１１と、第二の綴じ桿部材２の基体２１とは、その内側面１１１、２１１同士が当接ないし近接した状態となる。操作部材３の一端側に設けた拡開部３５は、両綴じ桿部材１、２の基体１１、２１の一端に（近接はしているものの）必ずしも接触していない。操作部材３に設けたフック３６は、第二の綴じ桿部材２に設けたフック２６に比較的近い位置にあり、両フック２６、３６に掛けているコイルばね４は張力を発揮しない。
【００４６】
翻って、操作部材３をロック位置からアンロック位置に向けてスライド移動させると、一方側の側壁３１に形成している切欠３１１の軸心方向に沿った位置が同じ側の綴じ桿部材１の腕部１４に合致し、また他方側の側壁３２に形成している切欠３２１の軸心方向に沿った位置も同じ側の綴じ桿部材２の腕部２４に合致する。従って、腕部１４、２４が切欠３１１、３２１内に進入できるようになる。のみならず、同一の軸部１３１、２３に連接する腕部１４、２４の対に挟まれた空隙１５、２５に、操作部材３の側壁３１、３２における、切欠３１１、３２１の対に挟まれた部位が進入できるようにもなる。結果として、図１６ないし図１９に示すように、両綴じ桿部材１、２を相対回動させて綴じ桿を開放することが許容されることとなる。
【００４７】
同時に、操作部材３がロック位置からアンロック位置へと変位する過程で、操作部材３の一端側に設けた拡開部３５の傾斜面３５１、３５２が、両綴じ桿部材１、２の基体１１、２１の一端に形成している傾斜面１１６、２１６に接触し、さらにはこれら基体１１、２１を互いに離反する方向に押し広げる。最終的に、操作部材３の拡開部３５は両綴じ桿部材１、２の基体１１、２１の内側面１１１、２１１間に入り込む。つまり、拡開部３５と基体１１、２１の一端とが操作力変換機構として働き、操作部材３を軸心方向にスライドさせる操作力を、綴じ桿部材１、２を綴じ桿が開放する方向に回動させる力に変換する。
【００４８】
総じて言えば、操作部材３をロック位置からアンロック位置へと変位させることで、ストッパが両綴じ桿部材１、２の腕部１４、２４から軸心方向に沿って退避しつつ、拡開部３５が両綴じ桿部材１、２を押し広げて綴じ桿を開放させる。また、操作部材３の変位により、操作部材３に設けたフック３６が第二の綴じ桿部材２に設けたフック２６から遠ざかるため、両フック２６、３６に掛けているコイルばね４が引き伸ばされて張力を発揮するようになる。
【００４９】
綴じ桿を開放している間は、操作部材３をアンロック位置からロック位置に向けて変位させる方向の弾性付勢力、即ちコイルばね４の引っ張り張力が働くが、綴じ桿部材１、２の腕部１４、２４が側壁３１、３２の切欠３１１、３２１の開口縁に係合することから、操作部材３はアンロック位置に維持される。この状態で、ユーザが両綴じ桿要素１２、２２を手指で摘んで閉じる操作を行うと、綴じ桿部材１、２が互いに相寄る方向に回動し、各腕部１４、２４が操作部材３の側壁３１、３２の切欠３１１、３２１から脱出する。従って、操作部材３がロック位置に復帰することが許容される。
【００５０】
綴じ桿部材１、２の基体１１、２２は長尺であるので、多数本存在する綴じ桿の一部を摘んで閉じようとしても、当該部位と他の部位との間でねじれを生じ、綴じ桿部材１、２全体が綴じ桿を閉じる方向に回動しないおそれがある。しかしながら、弾性付勢されている操作部材３がロック位置に向けて変位しようとし、その力が側壁３１、３２の切欠３１１、３２１の開口縁を介して綴じ桿部材１、２の腕部１４、２４を内側方に押し戻そうとするため、基体１１、２１のねじれが抑制され、綴じ桿部材１、２全体が回動して全ての綴じ桿を一斉に閉じることができる。
【００５１】
本実施形態によれば、所定の軸心周りに相対回動可能であり、その回動動作を通じて綴じ桿を開閉させる一組の綴じ桿部材１、２と、前記綴じ桿部材１、２に対して相対変位可能であり、綴じ桿部材１、２が前記綴じ桿を開放する方向に回動することを禁止するロック位置とこれを許容するアンロック位置とを選択的にとり得る操作部材３と、前記綴じ桿部材１、２と前記操作部材３との間に介在し、前記操作部材３を前記ロック位置から前記アンロック位置に向けて変位させる操作力を、前記綴じ桿部材を前記綴じ桿が開放する方向に回動させる力に変換する操作力変換機構とを具備する綴じ具０を構成したため、操作部材３をアンロック位置に変位させる操作によって綴じ桿を開かせることができる。従って、綴じ桿が多数本存在していたとしても、それらを一斉に開放する操作が容易であって利便性が高い。
【００５２】
前記操作部材３が前記ロック位置から前記アンロック位置へと変位する過程で前記両綴じ桿部材１、２間に差し入って両者の間を押し広げる拡開部３５を操作部材３に設けており、この拡開部３５を要素として前記操作力変換機構を構成しているため、部品点数が徒に増加せず、コスト面で有利となる。
【００５３】
前記操作部材３は、前記軸心方向に沿ってスライド可能であり、前記拡開部３５は、操作部材３のスライド方向に対して交差する傾斜面３５１、３５２を有し、この傾斜面３５１、３５２を介して前記綴じ桿部材１、２に当接して両綴じ桿部材１、２間を押し広げるものであるため、シンプルな構造となり、故障のリスクも小さくなる。
【００５４】
前記綴じ桿部材１、２は、前記軸心方向に沿って延伸し、同方向に沿って複数本の綴じ桿を並べて設けたものであり、前記拡開部３５は、前記綴じ桿部材１、２の一端側から両綴じ桿部材１、２間に差し入るものであるため、操作力変換機構を綴じ具０の中間部ではなく端部に配することができる。よって、綴じ具０の組立作業が難化しない。
【００５５】
前記操作部材３を前記アンロック位置から前記ロック位置に向けて変位させる方向に弾性付勢する弾性付勢部材４を具備しているため、綴じ桿を閉じる回動方向に弾性付勢するばね等が不要である。当該弾性付勢部材４の綴じ桿部材の配置の自由度も高い。
【００５６】
前記綴じ桿部材１、２が前記綴じ桿を開放する方向に回動することを禁止するストッパを前記操作部材３に設けており、前記操作部材３が前記ロック位置にあるときに前記ストッパが前記綴じ桿部材１、２の所定部位１４、２４に当接する一方、操作部材３がアンロック位置にあるときには綴じ桿部材１、２を回動させてもストッパが綴じ桿部材の所定部位１４、２４には接触しない。綴じ桿部材１、３及び操作部材３によって綴じ具０の基本構成が完結するため、部品点数の削減につながる。
【００５７】
並びに、本実施形態によれば、ヒンジを介してその軸心周りに相対回動可能であり、回動動作を通じて綴じ桿を開閉させる一組の綴じ桿部材１、２と、前記ヒンジの軸１３、２３を覆うとともに前記綴じ桿部材１、２に対し前記軸心方向に沿ってスライド可能であり、綴じ桿部材１、２が前記綴じ桿を開放する方向に回動することを禁止するストッパを有し、当該ストッパが綴じ桿部材１、２の所定部位に接触するロック位置と、綴じ桿部材１、２を回動させても当該ストッパが綴じ桿部材１、２の所定部位１４、２４に接触しないアンロック位置とを選択的にとり得る操作部材３とを具備する綴じ具０を構成したため、ヒンジの軸１３、２３が凸凹した感触をユーザに与える可能性が小さくなる。のみならず、操作部材３を軸心方向にスライド操作することで、綴じ桿の開放状態と閉止状態との切り替えを行い得る。
【００５８】
前記ヒンジの軸１３、２３が略円筒状の外周をなし、前記操作部材３がこのヒンジの軸１３、２３をくわえ込むようにヒンジの軸１３、２３に係合するものであるため、操作部材３の形状が徒に複雑化しない。また、操作部材３の外周面を平滑化して手触りの良化を図ることができる。
【００５９】
前記一組の綴じ桿部材１、２の各々に略円筒状の外周をなし前記ヒンジの軸となる軸体１３、２３を設け、両者の軸体１３、２３を直列に配置した状態で前記操作部材３がこれらを相対回動可能に保持するため、各軸体１３、２３の全てを貫通するような長い細棒が不要となる。
【００６０】
前記両軸体１３、２３の互いに対向する端面の一方に凸部１３２、２３２を形成し、他方にこの凸部１３２、２３２を受け入れる凹部１３１、２３１を形成して、これら凸部１３２、２３２と凹部１３１、２３１との係合構造を構成しているため、綴じ具０の組立作業の容易化に資する上、綴じ具０としての一体性が高まり、何れかの綴じ桿部材１、２が脱落するようなおそれも小さくなる。
【００６１】
前記操作部材３は、並立する側壁３１、３２と両側壁３１、３２を連結する底壁３３とを備え、側壁３１、３２及び底壁３３によって包囲される内部空間に前記ヒンジの軸１３、２３を収容するものであり、前記側壁３１、３２の端縁に切欠３１１、３２１を形成し、切欠３１１、３２１に隣接する（切り欠いていない）部位を前記ストッパとしており、前記操作部材３が前記アンロック位置にあるときには前記綴じ桿部材１、２の所定部位１４、２４がこの切欠３１１、３２１内に収まるものであるため、綴じ桿部材１、２及び操作部材３によって綴じ具０の基本構成が完結し、部品点数の削減につながる。
【００６２】
前記操作部材３を前記アンロック位置から前記ロック位置に向けて変位させる方向に弾性付勢する弾性付勢部材４を具備しており、綴じ桿を閉じる回動方向に弾性付勢するばね等が不要である。当該弾性付勢部材４の綴じ桿部材の配置の自由度も高い。
【００６３】
＜第二実施形態＞続いて、図２０ないし図４１に示す、本発明の他の実施形態を説明する。但し、前述した第一実施形態と同一または同等の構成部分には同一の符号を付すとともに、その説明を省略または簡略化する。当該構成部分については、第一実施形態の詳説を参照されたい。図２０ないし図３７は、ちょうど第一実施形態の図２ないし図１９に各々対応している。
【００６４】
本実施形態の綴じ具０もまた、開閉可能な複数本の綴じ桿を備えたリング綴じ具である。綴じ桿は、予め紙葉類Ｓに穿たれている綴じ孔に挿通されて、紙葉類Ｓを綴じ止める。そして、ノートの中紙となる複数枚のリーフやクリアブックのリフィル等Ｓを綴じることで、リングノートとしての用途に供することができる。リングノートは、ページを１８０°の角度に開いた見開き状態とすることが可能である。
【００６５】
以降、本実施形態と第一実施形態との相異点を列挙する。まず、図３０ないし図３３等に示すように、軸心方向から見て、本実施形態における綴じ桿要素１２、２２の先端部は湾曲してはおらず、相手方の綴じ桿要素２１、１１に向かうように直線的に伸びている。その伸長方向は、基体１１、２１の頂面１１３、２１３に対して略平行である。綴じ桿要素１２、２２の先端部が合决りになっている点は、第一実施形態と同様である。
【００６６】
綴じ桿要素１２、２２の先端部が直線的に伸びていることにより、綴じ孔に綴じ桿要素１２、２２を挿通して綴じている紙葉類Ｓのページ繰り操作が円滑になる。のみならず、綴じ桿部材１、２の成形が容易になるという効用をも得られる。各綴じ桿部材１、２はそれぞれ樹脂成形品であるが、第一実施形態における綴じ桿部材１、２では、綴じ桿要素１２、２２の先端部とそれ以外の部分とを一括に成形することができず、二色成形しなくてはならない弱みがあった。本実施形態では、綴じ桿部材１、２を作製するにあたり、成形金型における綴じ桿要素１２、２２の基端側（または、基体１１、２１の側）にあたる箇所から金型に樹脂を注入し、その樹脂を綴じ桿要素１２、２２の先端側にあたる箇所まで行き渡らせることが容易である上、成形後に金型を綴じ桿要素１２、２２の先端部の伸長方向に沿って抜くことが可能となる。
【００６７】
次に、本実施形態における操作部材３は、第一実施形態における操作部材３とは幾つかの細部が異なっている。図３０ないし図３３等に示すように、本実施形態における操作部材３の底壁３３は、第一実施形態におけるそれと比較して、より平坦に近い形状となっている。また、この底壁３３に穿っている貫通孔３３１の数が、第一実施形態よりも少ない。
【００６８】
そもそも、底壁３３の孔３３１は、側壁３１、３２から内側方に突出する突起３１２、３２２を成形する型を抜くために形成されるものである。第一実施形態では、一方側の側壁３１１から突出する突起３１２と他方側の側壁３２１から突出する突起３２２とが常に対をなして両立しており、孔３３１の数も自然と多くなっていた。これに対し、図３４及び図３７に示すように、本実施形態では、操作部材３の端部及び中間部を除き、突起３１２と突起３２２とは対をなしておらず、両者は軸心方向に沿って互いに偏倚している。換言すれば、突起３１２と突起３２２とを、軸心方向に沿って互い違いに設けている。故に、本実施形態では、孔３３１の数が少なくなっており、操作部材３の強度が向上しているだけでなく、ユーザが底壁３３に指を触れたときの手触りも向上している。
【００６９】
本実施形態における操作部材３の把手３４は、第一実施形態における把手３４よりも短く切り詰めてある。図２４、図２５、図２８、図２９等に示すように、平面視把手３４の端縁は、拡開部３５の傾斜面３５１、３５２とともに、概ね涙滴型の縁辺をなすような外観を呈している。加えて、把手３４に最も近い位置にある側壁３１の切欠３１１の軸心方向に沿った寸法を、他の切欠３１１、３２１と比較して小さくしている。綴じ桿を開放するときにこの切欠３１１内に収まる綴じ桿部材１の腕部１４についても、軸心方向に沿った寸法を同寸以下となるように設定してある。
【００７０】
第一実施形態では、操作部材３の周壁３１、３２、３３によって包囲された内部空間が、軸心方向に沿った両端部にて閉塞されていた。これに対し、図３８に示すように、本実施形態では、操作部材３の他端側の端部に壁を設けておらず、操作部材３の他端側にて内部空間が開放している。このことは、操作部材３の成形にとって有利となる。即ち、操作部材３を成形する型を抜く方向について制約が少なくなり（操作部材３の他端部位において、操作部材３の延伸方向つまりは軸心方向に沿って型を抜くことが許容される）、設計の自由度が増すとともに製造コストの低減に奏効し得る。
【００７１】
さらに、図３８ないし図４１に示しているように、操作部材３の軸心方向に沿った他端側において、側壁３１、３２から内側方に突出する係合部３１３、３２３を形成している。他方、綴じ桿部材２の、軸心方向に沿った最も他端側に位置する軸体２３の外周面にも、外側方に突出する被係合部２３３を形成してある。
【００７２】
図４０の平断面図は、操作部材３がロック位置にある状態を示している。操作部材３がロック位置にあるとき、側壁３１、３２から突出する係合部３１３、３２３と、軸体２３から突出する被係合部２３３とは軸心方向に沿って離間している。
【００７３】
対して、図４１の平断面図は、操作部材３がアンロック位置にある状態を示している。操作部材３をロック位置からアンロック位置にスライド移動させると、綴じ桿部材１、２がその軸体１３、２３を中心として綴じ桿を開放する方向に回動するとともに、側壁から突出する係合部３１３、３２３が軸体２３から突出する被係合部２３３に向かって接近し、遂にはこの被係合部２３３を越えてこれに係合する。
【００７４】
既に述べた通り、操作部材３がアンロック位置にある状態では、フック２６、３６に両端を支持させたコイルばね４が引き伸ばされ、操作部材３をロック位置に引き戻すような引っ張り弾性力を発揮する。係合部３１３、３２３は、被係合部２３３に係合する際にユーザの手指にクリック感を与えつつ、被係合部２３３に係合することで操作部材３がユーザの意図によらずロック位置に帰還しようとすることを抑制する働きをする。
【００７５】
なお、本発明は以上に詳述した実施形態に限られるものではない。列挙すると、上記実施形態では、第一の綴じ桿部材と第二の綴じ桿部材とは別体の部材であったが、両者を樹脂ヒンジを介して一体成形してもよい。
【００７６】
弾性付勢部材は、コイルばねには限定されない。その他の態様のもの、例えば板ばねや樹脂ばね、ゴムばね等を採用しても構わない。
【００７７】
操作部材の一端側と綴じ桿部材（の基体）の一端側との間に、圧縮弾性力を発生させる弾性付勢部材、即ち圧縮コイルばねの類を介在させることも考えられる。
【００７８】
また、特に、操作力変換機構（操作部材の一端側の拡開部）は、必須の構成要素ではない。（操作部材をアンロック位置においた後）両綴じ桿部材を相対回動させて綴じ桿を開くために、綴じている紙葉類を介して綴じ桿要素を引っ張るようにしてもよいし、綴じている紙葉類の自重を利用してもよい。あるいは、両綴じ桿要素を互いに離反させる回動方向に弾性付勢する付勢部材（ねじりばね等）を実装してもよい。
【００７９】
その他各部の具体的構成は、本発明の趣旨を逸脱しない範囲で種々変形が可能である。
【産業上の利用可能性】
【００８０】
本発明は、紙葉類を綴じ止める綴じ具に適用することができる。
【符号の説明】
【００８１】
０…綴じ具
１、２…綴じ桿部材
１２、２２…綴じ桿
１３、２３…軸部
３…操作部材
３１、３２…側壁
３１１、３２１…切欠
３３…底壁
３５…拡開部
４…弾性付勢部材
Ｓ…紙葉類
【図１】
2012066818.tif 000003
【図２】
2012066818.tif 000004
【図３】
2012066818.tif 000005
【図４】
2012066818.tif 000006
【図５】
2012066818.tif 000007
【図６】
2012066818.tif 000008
【図７】
2012066818.tif 000009
【図８】
2012066818.tif 000010
【図９】
2012066818.tif 000011
【図１０】
2012066818.tif 000012
【図１１】
2012066818.tif 000013
【図１２】
2012066818.tif 000014
【図１３】
2012066818.tif 000015
【図１４】
2012066818.tif 000016
【図１５】
2012066818.tif 000017
【図１６】
2012066818.tif 000018
【図１７】
2012066818.tif 000019
【図１８】
2012066818.tif 000020
【図１９】
2012066818.tif 000021
【図２０】
2012066818.tif 000022
【図２１】
2012066818.tif 000023
【図２２】
2012066818.tif 000024
【図２３】
2012066818.tif 000025
【図２４】
2012066818.tif 000026
【図２５】
2012066818.tif 000027
【図２６】
2012066818.tif 000028
【図２７】
2012066818.tif 000029
【図２８】
2012066818.tif 000030
【図２９】
2012066818.tif 000031
【図３０】
2012066818.tif 000032
【図３１】
2012066818.tif 000033
【図３２】
2012066818.tif 000034
【図３３】
2012066818.tif 000035
【図３４】
2012066818.tif 000036
【図３５】
2012066818.tif 000037
【図３６】
2012066818.tif 000038
【図３７】
2012066818.tif 000039
【図３８】
2012066818.tif 000040
【図３９】
2012066818.tif 000041
【図４０】
2012066818.tif 000042
【図４１】
2012066818.tif 000043
【国際調査報告】
2012066818.tif 000044
2012066818.tif 000045
2012066818.tif 000046
2012066818.tif 000047
2012066818.tif 000048
2012066818.tif 000049